(57)【要約】【課題】第三者によって不正に使用されるリスクを低減しつつ、停電時にも使用することができる鍵を提供する。【解決手段】鍵は、凹部を有する本体と、一部が本体の凹部内の空間を移動可能な可動部と、生体情報を取得するセンサと、制御部と、駆動部と、を備える。制御部は、センサによって取得された生体情報と、あらかじめ登録されているユーザの生体情報とを照合する。駆動部は、センサによって取得された生体情報がユーザの生体情報であると制御部が判定すると、本体と可動部とを合わせた外形が所定の錠を解錠可能な形状になるように可動部を移動させる。【選択図】図１
2018184813.tif 000002
【特許請求の範囲】
【請求項１】
凹部を有する本体と、
一部が前記本体の凹部内の空間を移動可能な可動部と、
生体情報を取得するセンサと、
前記センサによって取得された前記生体情報と、あらかじめ登録されているユーザの生体情報とを照合する制御部と、
前記センサによって取得された前記生体情報が前記ユーザの生体情報であると前記制御部が判定すると、前記本体と前記可動部とを合わせた外形が所定の錠を解錠可能な形状になるように前記可動部を移動させる駆動部と、
を備える鍵。
【請求項２】
前記本体は所定の錠を解錠可能な形状であり、
前記駆動部は、前記センサによって取得された前記生体情報が前記ユーザの生体情報であると前記制御部が判定すると、前記可動部を前記本体内に全て収納させる、
請求項１に記載の鍵。
【請求項３】
前記本体と前記可動部とを合わせた外形が所定の錠を解錠可能な形状になっていることを報知する報知部をさらに備える、
請求項１又は２に記載の鍵。
【請求項４】
凹部を有する本体と、一部が前記本体の凹部内の空間を移動可能な可動部と、生体情報を取得するセンサと、前記可動部を移動させる駆動部と、を備える鍵の制御方法であって、
前記センサによって取得された前記生体情報と、あらかじめ登録されているユーザの生体情報とを照合するステップと、
前記センサによって取得された前記生体情報が前記ユーザの生体情報であると判定すると、前記本体と前記可動部とを合わせた外形が所定の錠を解錠可能な形状になるように前記可動部を移動させるステップと、
を含む鍵の制御方法。
【請求項５】
凹部を有する本体と、一部が前記本体の凹部内の空間を移動可能な可動部と、生体情報を取得するセンサと、前記可動部を移動させる駆動部と、を備える鍵を制御するプロセッサに、
前記センサによって取得された前記生体情報と、あらかじめ登録されているユーザの生体情報とを照合するステップと、
前記センサによって取得された前記生体情報が前記ユーザの生体情報であると判定すると、前記本体と前記可動部とを合わせた外形が所定の錠を解錠可能な形状になるように前記可動部を移動させるステップと、
を実行させるプログラム。
【発明の詳細な説明】
【技術分野】
【０００１】
本開示は、鍵、鍵の制御方法及びプログラムに関する。
【背景技術】
【０００２】
従来、鍵は、紛失した場合に第三者に拾われると、第三者によって不正に使用されるリスクがある。
【０００３】
そのようなリスクを低減するため、例えば特許文献１は、鍵に設置された指紋認証装置で認証を行い、その認証結果を扉の錠部に送信する発明を開示している。
【先行技術文献】
【特許文献】
【０００４】
【特許文献１】特開２００５−２３２８４４号公報
【発明の概要】
【発明が解決しようとする課題】
【０００５】
しかしながら、特許文献１が開示する発明は、錠部が受信部及びセンサを利用しているため、停電時に使用可能できない。また、特許文献１が開示する発明は、錠部にセンサを設置するための設備投資を必要とする。
【０００６】
かかる点に鑑みてなされた本開示の目的は、第三者によって不正に使用されるリスクを低減しつつ、停電時にも使用することができる鍵、鍵の制御方法及びプログラムを提供することにある。
【課題を解決するための手段】
【０００７】
本開示の一実施形態に係る鍵は、凹部を有する本体と、一部が前記本体の凹部内の空間を移動可能な可動部と、生体情報を取得するセンサと、制御部と、駆動部と、を備える。前記制御部は、前記センサによって取得された前記生体情報と、あらかじめ登録されているユーザの生体情報とを照合する。前記駆動部は、前記センサによって取得された前記生体情報が前記ユーザの生体情報であると前記制御部が判定すると、前記本体と前記可動部とを合わせた外形が所定の錠を解錠可能な形状になるように前記可動部を移動させる。
【０００８】
本開示の一実施形態に係る鍵の制御方法は、凹部を有する本体と、一部が前記本体の凹部内の空間を移動可能な可動部と、生体情報を取得するセンサと、前記可動部を移動させる駆動部と、を備える鍵の制御方法である。前記制御方法は、前記センサによって取得された前記生体情報と、あらかじめ登録されているユーザの生体情報とを照合するステップと、前記センサによって取得された前記生体情報が前記ユーザの生体情報であると判定すると、前記本体と前記可動部とを合わせた外形が所定の錠を解錠可能な形状になるように前記可動部を移動させるステップと、を含む。
【０００９】
本開示の一実施形態に係るプログラムは、凹部を有する本体と、一部が前記本体の凹部内の空間を移動可能な可動部と、生体情報を取得するセンサと、前記可動部を移動させる駆動部と、を備える鍵を制御するプロセッサのためのプログラムである。前記プログラムは、前記プロセッサに、前記センサによって取得された前記生体情報と、あらかじめ登録されているユーザの生体情報とを照合するステップと、前記センサによって取得された前記生体情報が前記ユーザの生体情報であると判定すると、前記本体と前記可動部とを合わせた外形が所定の錠を解錠可能な形状になるように前記可動部を移動させるステップと、を実行させる。
【発明の効果】
【００１０】
本開示の一実施形態によれば、第三者によって不正に使用されるリスクを低減しつつ、停電時にも使用することができる鍵、鍵の制御方法及びプログラムを提供することができる。
【図面の簡単な説明】
【００１１】
【図１】本開示の一実施形態に係る鍵の機能ブロック図である。
【図２】本開示の一実施形態に係る鍵の平面概略図である。
【図３】図１の可動部が移動する様子の一例を示す図である。
【図４】本開示の一実施形態に係る鍵の動作の一例を示すフローチャートである。
【図５】本開示の変形例に係る鍵の平面概略図である。
【図６】本開示の変形例において図１の可動部が移動する様子の一例を示す図である。
【図７】本開示の一実施形態に係る鍵にユーザの生体情報を送信する登録装置の機能ブロック図である。
【図８】図７の登録装置の動作の一例を示すフローチャートである。
【発明を実施するための形態】
【００１２】
以下、本開示の実施形態について、図面を参照して説明する。
【００１３】
図１及び図２を参照して、本開示の一実施形態に係る鍵１の構成について説明する。図１は、本開示の一実施形態に係る鍵１の機能ブロック図である。図２（ａ）は、鍵１の平面概略図である。図２（ｂ）は、鍵1の本体１０のみを示した平面概略図である。
【００１４】
図１に示すように、鍵１は、本体１０と、センサ１１と、制御部１２と、駆動部１３と、可動部１４と、報知部１５と、通信部１６と、記憶部１７とを備える。
【００１５】
本体１０は、図２（ｂ）に示すように、ブレード部１０ａと、頭部１０ｂとを備える。
【００１６】
ブレード部１０ａは、鍵１が解錠可能な所定の錠に差し込まれる部分である。ブレード部１０ａは、金属などの材料を所定の形状に加工したものである。ブレード部１０ａは、図２（ｂ）に示すように凹部１８を有する。なお、図２（ｂ）においては、２箇所の凹部１８を示しているが、凹部１８の個数は２個に限られず任意の数である。
【００１７】
頭部１０ｂは、鍵１を錠に差し込んで回す際につまむためなどに用いられる部分である。
【００１８】
センサ１１は、鍵１を使用しようとする者から生体情報を取得する。センサ１１は、生体情報として、例えば指紋情報を取得する。センサ１１が取得する生体情報は、鍵１のユーザを特定することができれば、指紋情報に限られない。センサ１１が取得する生体情報は、例えば、静脈情報又は虹彩情報などであってもよい。
【００１９】
センサ１１は、人体の接触を検出すると生体情報の取得を開始してもよいし、定常的に生体情報の取得を実施していてもよい。
【００２０】
センサ１１は、図２（ａ）に示すように、例えば、本体１０の頭部１０ｂに配置される。
【００２１】
制御部１２は、鍵１が備える各機能ブロックをはじめとして、鍵１の全体を制御及び管理するプロセッサを含む。プロセッサにより実行されるプログラムは、例えば、制御部１２が備えるメモリに格納されていてもよいし、記憶部１７に格納されていてもよい。制御部１２の機能の詳細については後述する。
【００２２】
駆動部１３は、制御部１２からの指令に応じて、可動部１４を移動させる。駆動部１３は、本体１０内において、可動部１４に近接して配置される。
【００２３】
可動部１４は、図２（ａ）に示すように、可動部１４の一部が本体１０の凹部１８内の空間を移動可能なように配置される。可動部１４は、駆動部１３によって駆動されて全体が移動し、これにより、可動部１４の一部が本体１０の凹部１８内の空間を移動する。可動部１４は、例えば、方向Ｘに沿って全体が移動する。方向Ｘは、鍵１の長手方向に垂直な方向である。可動部１４は、例えば金属などによって構成されている。
【００２４】
可動部１４は、センサ１１によって取得された生体情報が、鍵１のユーザの生体情報であると制御部１２によって判定されると、駆動部１３によって、本体１０と可動部１４とを合わせた外形が鍵１に対応する錠を解錠可能な形状になるように移動させられる。ここで、「鍵１のユーザ」とは、鍵１の持ち主などのような、本来、鍵１を使用するべき人物のことを意味するものとする。
【００２５】
報知部１５は、例えば、ＬＥＤ（Light Emission Diode）等の表示デバイスを備える。報知部１５は、鍵１の外形が対応する錠を解錠可能な形状となると、解錠可能な状態であることをＬＥＤの点灯などによって報知する。
【００２６】
報知部１５は、図２（ａ）に示すように、例えば、本体１０の頭部１０ｂに配置される。このように、報知部１５が頭部１０ｂに配置されることにより、鍵１が錠に差し込まれている状態であっても、ユーザは報知部１５を視認することができる。
【００２７】
報知部１５は、ＬＥＤ等の表示デバイスを含むものに限られない。報知部１５は、音又は振動などによって、ユーザに、鍵１の外形が錠を解錠可能な状態であることを報知してもよい。
【００２８】
通信部１６は、図７の説明において後述する登録装置２０と無線又は有線により接続し、登録装置２０と通信を行う。
【００２９】
通信部１６は、図７に示す登録装置２０から、鍵１のユーザの生体情報を取得する。通信部１６が取得した鍵１のユーザの生体情報は、制御部１２によって記憶部１７に記憶して登録される。
【００３０】
記憶部１７は、例えば半導体メモリ等を用いて構成されてよい。記憶部１７は、制御部１２の動作に必要な種々の情報及びプログラムを記憶する。記憶部１７は、鍵１のユーザの生体情報を記憶している。
【００３１】
続いて、制御部１２の動作について説明する。以下の説明においては、センサ１１は、生体情報として指紋情報を取得するものとする。
【００３２】
制御部１２は、鍵１のユーザの指がセンサ１１に乗せられていない状態では、本体１０と可動部１４とを合わせた外形が錠を解錠できない形状になるように、駆動部１３に指令して、可動部１４を移動させている。
【００３３】
図３（ａ）に、本体１０と可動部１４とを合わせた外形が錠を解錠できない形状となっている一例を示す。図３（ａ）に示す状態では、可動部１４が、本体１０の凹部１８内の空間を、ほぼ埋めるようになっている。
【００３４】
制御部１２は、センサ１１に指が乗せられると、乗せられた指からセンサ１１が取得した指紋情報と、記憶部１７にあらかじめ登録されている鍵１のユーザの指紋情報とを照合して認証処理を行う。
【００３５】
制御部１２は、センサ１１によって取得された指紋情報と、記憶部１７にあらかじめ登録されているユーザの指紋情報とが一致していると判定すると、本体１０と可動部１４とを合わせた外形が錠を解錠可能な形状になるように、駆動部１３に指令して、可動部１４を移動させる。
【００３６】
図３（ｂ）に、本体１０と可動部１４とを合わせた外形が錠を解錠可能な形状となっている一例を示す。図３（ｂ）に示す例では、可動部１４が本体１０内に全て収納された状態となっている。すなわち、可動部１４のうち、本体１０の凹部１８内の空間にある部分はない。
【００３７】
図３（ｂ）に示す例においては、本体１０単独の外形が、錠を解錠可能な形状となっている。このような構成とすると、錠を開けるときに可動部１４には強い力が加わらない。その結果、鍵１の耐久性を向上させることができる。また、可動部１４の外形を高い精度で加工する必要がないため、可動部１４の製造コストを低減することができる。
【００３８】
図３（ｃ）に、本体１０と可動部１４とを合わせた外形が錠を解錠可能な形状となっている他の例を示す。図３（ｃ）に示す例では、本体１０の凹部１８内の空間に可動部１４の一部が配置されている。この場合、本体１０と、凹部１８内の空間に配置されている可動部１４の一部とを合わせた外形が錠を解錠可能な形状となっている。このような構成とすると、例えば、センサ１１による指紋情報の取得と鍵１にさらに備えられた物理ボタンの押下の有無とを組み合わせることで、鍵１単体で複数の錠を解錠可能となる。その結果、ユーザは錠毎に鍵を保有しなくてよく、持ち歩く鍵の数を減らすことができる。
【００３９】
図３においては、可動部１４は、鍵１の長手方向と垂直な方向に移動するものとして説明した。しかしながら、可動部１４は、鍵１の長手方向と平行な方向に移動してもよい。
【００４０】
図４に示すフローチャートを参照して、本開示の一実施形態に係る鍵１の動作の一例について説明する。
【００４１】
センサ１１は、生体情報を取得する。例えば生体情報が指紋情報である場合、センサ１１は、センサ１１に指が乗せられると、生体情報を取得する（ステップＳ１０１）。
【００４２】
制御部１２は、センサ１１が取得した生体情報と、記憶部１７にあらかじめ登録されている鍵１のユーザの生体情報とを照合して認証処理を行う（ステップＳ１０２）。
【００４３】
制御部１２は、センサ１１によって取得された生体情報と、記憶部１７にあらかじめ登録されているユーザの生体情報とが一致しているかを判定する（ステップＳ１０３）。
【００４４】
生体情報が一致していないと判定した場合（ステップＳ１０３のＮｏ）、制御部１２は、ステップＳ１０１に戻る。
【００４５】
生体情報が一致していると判定した場合（ステップＳ１０３のＹｅｓ）、制御部１２は、本体１０と可動部１４とを合わせた外形が錠を解錠可能な形状になるように、駆動部１３に指令して、可動部１４を移動させる（ステップＳ１０４）。
【００４６】
このように、本実施形態によれば、制御部１２は、センサ１１によって取得された生体情報と、あらかじめ登録されているユーザの生体情報とを照合する。そして、駆動部１３は、センサ１１によって取得された生体情報がユーザの生体情報であると制御部１２が判定すると、本体１０と可動部１４とを合わせた外形が所定の錠を解錠可能な形状になるように可動部１４を移動させる。このように、本実施形態に係る鍵１は、ユーザの生体情報を照合するため、第三者によって不正に使用されるリスクを低減することができる。また、本実施形態に係る鍵１は、駆動部１３が可動部１４を移動させることによって、外形が所定の錠を解錠可能な形状になるため、錠と通信することを必要としない。そのため、本実施形態に係る鍵１は、停電時にも使用可能である。また、錠が通信機能を必要としないため、錠への設備投資が不要であり、本実施形態は容易に実装することができる。
【００４７】
［変形例］
図５に、本開示の変形例に係る鍵１の本体３０を示す。本体３０は、ブレード部３０ａと、頭部３０ｂとを備える。本体３０は、ブレード部３０ａにディンプル状の凹部１９が形成されている。
【００４８】
図６に、図５のＡ−Ａ線の断面図を示す。
【００４９】
図６（ａ）に、本体３０と可動部１４とを合わせた外形が錠を解錠できない形状となっている一例を示す。図６（ａ）に示す状態では、可動部１４が、本体３０の凹部１９内の空間を、ほぼ埋めるようになっている。
【００５０】
図６（ｂ）に、本体３０と可動部１４とを合わせた外形が錠を解錠可能な形状となっている一例を示す。図６（ｂ）に示す例では、可動部１４が本体３０内に全て収納された状態となっている。すなわち、可動部１４のうち、本体３０の凹部１９内の空間にある部分はない。
【００５１】
図６（ｂ）に示す例においては、本体３０単独の外形が、錠を解錠可能な形状となっている。このような構成とすることにより、錠を開けるときに可動部１４には強い力が加わらない。その結果、鍵１の耐久性を向上させることができる。また、可動部１４の外形を高い精度で加工する必要がないため、可動部１４の製造コストを低減することができる。
【００５２】
図６（ｃ）に、本体３０と可動部１４とを合わせた外形が錠を解錠可能な形状となっている他の例を示す。図６（ｃ）に示す例では、本体３０の凹部１９内の空間に可動部１４の一部が配置されている。この場合、本体３０と、凹部１９内の空間に配置されている可動部１４の一部とを合わせた外形が錠を解錠可能な形状となっている。このような構成とすると、例えば、センサ１１による指紋情報の取得と鍵１にさらに備えられた物理ボタンの押下の有無とを組み合わせることで、鍵１単体で複数の錠を解錠可能となる。その結果、ユーザは錠毎に鍵を保有しなくてよく、持ち歩く鍵の数を減らすことができる。
【００５３】
［生体情報の登録装置］
図７は、本開示の一実施形態に係る鍵１にユーザの生体情報を送信する登録装置２０の機能ブロック図である。
【００５４】
図７に示すように、登録装置２０は、センサ２１と、通信部２２と、記憶部２３と、制御部２４とを備える。
【００５５】
センサ２１は、鍵１のユーザの生体情報を取得する。センサ２１は、生体情報として、例えば指紋情報を取得する。センサ２１が取得する生体情報は、鍵１のユーザを特定することができれば、指紋情報に限られない。センサ１１が取得する生体情報は、例えば、静脈情報又は虹彩情報などであってもよい。
【００５６】
通信部２２は、鍵１と無線又は有線により接続し、鍵１と通信を行う。通信部２２は、センサ２１が取得したユーザの生体情報を鍵１に送信する。
【００５７】
記憶部２３は、例えば半導体メモリ又は磁気ディスク等を用いて構成されてよい。記憶部２３は、制御部２４の動作に必要な種々の情報及びプログラムを記憶する。記憶部２３は、鍵１のユーザの生体情報を記憶している。
【００５８】
制御部２４は、登録装置２０が備える各機能ブロックをはじめとして、登録装置２０の全体を制御及び管理するプロセッサを含む。プロセッサにより実行されるプログラムは、例えば、制御部２４が備えるメモリに格納されていてもよいし、記憶部２３に格納されていてもよい。
【００５９】
図８に示すフローチャートを参照して、登録装置２０の動作の一例について説明する。
【００６０】
センサ２１は、生体情報の登録モードにおいて、鍵１のユーザの生体情報を取得する。例えば生体情報が指紋情報である場合、センサ２１は、センサ２１に鍵１のユーザの指が乗せられると、ユーザの生体情報を取得する（ステップＳ２０１）。
【００６１】
制御部２４は、センサ２１が取得した生体情報が、ユーザを特定するための生体情報として適正な情報であるか否かを判定する（ステップＳ２０２）。
【００６２】
適正でないと判定した場合（ステップＳ２０２のＮｏ）、制御部１２は、ステップＳ２０１に戻る。
【００６３】
適正であると判定した場合（ステップＳ２０２のＹｅｓ）、制御部１２は、センサ２１が取得した鍵１のユーザの生体情報を、記憶部２３に記憶して登録する（ステップＳ２０３）。
【００６４】
制御部２４は、通信部２２を介して、鍵１のユーザの生体情報を鍵１に送信する（ステップＳ２０４）。
【００６５】
このように、鍵１のユーザの生体情報を登録するための登録装置２０を、鍵１とは別に設けることにより、鍵１が必要とする機能を低減することができる。その結果、鍵１の製造コストを低減することができる。また、鍵１のサイズを小さくすることができる。
【００６６】
上記の登録装置２０が備える機能は、鍵１に全て備えられていてもよい。その場合、鍵１に備えられるセンサ１１が取得した鍵１のユーザの生体情報が、鍵１の制御部１２によって、鍵１の記憶部１７に記憶して登録される。このような構成をとる場合、制御部１２は、センサ１１によって取得された生体情報と、登録されているユーザの生体情報とが一致しているか否かを判定するために生体情報を取得することと、センサ１１によって取得された生体情報を記憶部１７に記憶して登録させるために生体情報を取得することとを区別してもよい。制御部１２は、例えば、鍵１にさらに備えられた物理ボタンが押されたか否かによって、取得された生体情報を鍵１のユーザの生体情報の登録に使用するか、すでに登録された生体情報との一致の判定に使用するかを決定してもよい。
【００６７】
本発明の一実施形態を諸図面及び実施例に基づき説明してきたが、当業者であれば本開示に基づき種々の変形及び修正を行うことが容易であることに注意されたい。従って、これらの変形及び修正は本発明の範囲に含まれることに留意されたい。例えば、各構成部、各ステップなどに含まれる機能などは論理的に矛盾しないように再配置可能であり、複数の構成部又はステップなどを１つに組み合わせたり、或いは分割したりすることが可能である。また、本発明について装置を中心に説明してきたが、本発明は装置の各構成部が実行するステップを含む方法、装置が備えるプロセッサにより実行される方法、プログラム、又はプログラムを記録した記憶媒体としても実現し得るものであり、本発明の範囲にはこれらも包含されるものと理解されたい。
【符号の説明】
【００６８】
１  鍵
１０  本体
１０ａ  ブレード部
１０ｂ  頭部
１１  センサ
１２  制御部
１３  駆動部
１４  可動部
１５  報知部
１６  通信部
１７  記憶部
１８  凹部
１９  凹部
２０  登録装置
２１  センサ
２２  通信部
２３  記憶部
２４  制御部
３０  本体
【図１】
2018184813.tif 000003
【図２】
2018184813.tif 000004
【図３】
2018184813.tif 000005
【図４】
2018184813.tif 000006
【図５】
2018184813.tif 000007
【図６】
2018184813.tif 000008
【図７】
2018184813.tif 000009
【図８】
2018184813.tif 000010